(57)【特許請求の範囲】
【請求項１】
外周面に釣糸導入孔を有する第１竿体と、第１竿体の穂先側に連結された第２竿体と、第２竿体の穂先側に連結される中竿と、最も穂先側に連結される穂先竿とを有し、各竿体が振出形式で連結される中通し竿に用いる竿体止め具であって、
前記穂先竿の穂先側付近の外周に脱着自在に装着可能な本体部と、
前記本体部に設けられ前記第２竿体の穂先側内周面と嵌合可能な嵌合部と
を有し、
前記本体部はパイプ状部材であって軸方向に割りが形成されており、
前記本体部の外径は前記第２竿体の穂先側内径とほぼ一致して形成されており、前記嵌合部は前記本体部の外周面である竿体止め具付中通し竿。
【請求項２】
前記本体部は穂先側端部に周方向に広がる鍔部をさらに有し、前記割りは前記鍔部に連続して形成されている、請求項１に記載の竿体止め具付中通し竿。
【請求項３】
前記本体部の外周面には弾性部材が配置されている、請求項１または２に記載の竿体止め具付中通し竿。
【発明の詳細な説明】
【０００１】
【発明の属する技術分野】
本発明は、中通し竿、特に振出形式で連結された中通し竿に用いる竿体止め具に関する。詳しくは、外周面に釣糸導入孔を有する第１竿体と、第１竿体の穂先側に連結された第２竿体と、第２竿体の穂先側に連結される中竿と、最も穂先側に連結される穂先竿とを有する中通し竿において、釣糸を各竿体の内部に挿通させる際に用いる竿体止め具に関する。
【０００２】
【従来の技術】
従来の中通し竿は、竿体内部に釣糸通路を有する元竿と、元竿の穂先側に連結された中竿と、中竿の穂先側に連結された穂先竿とを有している。この元竿は、竿体外周面に固定されたリールと、リールの穂先側に設けられ釣糸通路内にリールからの釣糸を導入するための釣糸導入孔とを有している。また、穂先竿の穂先側先端にはトップガイドが設けられている。このような中通し竿では、リールからの釣糸は釣糸導入孔から釣糸通路に導入され、順次竿体内を穂先側に導かれて穂先竿のトップガイドから外部に導出される。
【０００３】
この種の中通し竿において、釣糸導入孔から釣糸通路に釣糸を導入して釣糸通路に釣糸を通すために（以下「釣糸挿通操作」という）糸通し具が用いられる。従来の糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。
【０００４】
このような糸通し具を用いて釣糸挿通操作をおこなう際には、まず、糸通し具の糸係止部に釣糸を係止して釣糸導入孔よりキャップを挿入する。そして、順次穂先側にワイヤを送って穂先側から導出する。
【０００５】
【発明が解決しようとする課題】
このような釣糸挿通操作において、糸通し具を中通し竿の釣糸導入孔に挿入する場合、中通し竿の穂先側を傾けて、釣糸導入孔内をのぞき込みながら作業を行う場合がある。しかし、振出形式の中通し竿の穂先側を下方に傾けて釣糸挿通操作を行うと、作業中に穂先側の竿体が飛び出してしまい穂先側の竿体を痛める恐れがある。また、穂先側の竿体が安定した状態で固定されていないと、穂先側の竿体内に糸通し具をうまく挿入できない。
【０００６】
本発明の課題は、中通し竿の釣糸挿通操作を容易に行うことができる竿体止め具を提供することにある。
【００１１】
【課題を解決するための手段】
発明１の竿体止め具付中通し竿は、外周面に釣糸導入孔を有する第１竿体と、第１竿体の穂先側に連結された第２竿体と、第２竿体の穂先側に連結される中竿と、最も穂先側に連結される穂先竿とを有し、各竿体が振出形式で連結される中通し竿に用いる竿体止め具である。そして、穂先竿の穂先側付近の外周に脱着自在に装着可能な本体部と、本体部に設けられ第２竿体の穂先側内周面と嵌合可能な嵌合部とを有している。
また、本体部はパイプ状部材であって軸方向に割りが形成されており、本体部の外径は第２竿体の穂先側内径とほぼ一致して形成されている。そして、嵌合部は本体部の外周面である。
この場合には、以下のように竿体止め具を用いて釣糸挿通操作を行う。
第１竿体から第２竿体〜穂先竿を引き出した状態において、まず、穂先竿の穂先側の外周に本体部を装着する。続いて、穂先竿及び中竿を順次竿元側の竿体に収納して第２竿体へ収納して、第１竿体に第２竿体のみが引き出されて連結された状態とする。ここで、本体部に設けられた嵌合部が第２竿体の穂先側内周面と嵌合して穂先竿を第２竿体に固定する。そして、このように穂先竿を第２竿体に固定したまま、所定の糸通し具によって釣糸挿通操作を行う。
竿体止め具が穂先竿を第２竿体に固定しているので、穂先側を下方に向けたまま釣糸挿通操作を行っても第２竿体内に収納されている各竿体が穂先側に飛び出すことはない。また安定した状態で第２竿体内に収納されているので、釣糸挿通操作を容易に行うことができる。
また、パイプ状の本体部を軸方向に形成された割りから穂先竿にはめ込んで容易に固定できる。また、このパイプ状の本体部の外周面自体が第２竿体の穂先側内周面に嵌合して、穂先竿を第２竿体に十分に固定させる。
【００１２】
発明２に係る竿体止め具付中通し竿は、発明１の竿体止め具付中通し竿であって、本体部は穂先側端部に周方向に広がる鍔部をさらに有し、割りは鍔部に連続して形成されている。
【００１３】
この場合には、穂先側端部に形成された鍔部を摘んで、竿体止め具とともに穂先竿を他の竿体に容易に出し入れできる。また、釣糸挿通操作時に用いる糸通し具を本体部に巻き付け、糸通し具の端部を鍔部の割りに挟み込むことで、糸通し具を竿体止め具に保管できる。
【００１４】
発明３に係る竿体止め具付中通し竿は、発明１または２の竿体止め具付中通し竿であって、本体部の外周面には弾性部材が配置されている。
【００１５】
この場合には、本体部外周面に弾性部材が配置されており、本体部を容易かつ円滑に第２竿体に嵌合させて固定できる。また、竿体を痛めることもない。
【００１６】
【発明の実施の形態】
［第１実施形態］
以下、本発明の第１実施形態について、図面を参照しつつ説明する。
【００１７】
（中通し竿の構造）
まず、本発明の第１実施形態を採用した竿体止め具を用いて釣糸挿通操作を行う中通し竿について説明する。
【００１８】
この中通し竿は、図１に示すように、元竿１と、元竿１の穂先側に順次連結された元上竿２，第１中竿３，第２中竿４及び穂先竿５とを有している。これら元竿１〜穂先竿５は炭素繊維またはガラス繊維等の強化繊維に合成樹脂を含浸させたプリプレグからなる先細り筒状部材であって、内部にそれぞれ釣糸通路１００（図２参照）を有している。そして、穂先竿５から順次竿元側の竿体内に挿入され収納可能であり、いわゆる振出形式で連結されている。
【００１９】
元竿１の竿元側の外周面にはリール７を脱着自在に装着可能なリールシート６が設けられている。また、穂先側の外周面にはリール７からの釣糸Ｌを釣糸通路１００内に導入するための釣糸導入孔８が形成され、リール７からの釣糸Ｌを釣糸導入孔８へ導く釣糸導入ガイド９がこの釣糸導入孔８を覆うように配置されている。この釣糸導入孔８の周縁部及び釣糸導入ガイド９には、それぞれ釣糸Ｌとの接触による損傷を防止するためのセラミックリングＰ（図２参照）がはめ込まれている。
【００２０】
図２に詳しく示すように、元上竿２の竿元側端面には軸方向に貫通孔が形成されたゴム製の尻栓２０が取り付けられている。この尻栓２０は、元上竿２内に収納される第１中竿３〜穂先竿５が元上竿２を通過してさらに竿元側まで挿入されるのを防止している。貫通孔の竿元側周縁部にセラミックリングＰが配置されており、釣糸Ｌとの接触による損傷を防止している。また、貫通孔の穂先側は他の部分に比べてやや大径に形成されており、穂先竿５の竿元側端部を収納可能な収納部２０ａとなっている。この元上竿２は元竿１の穂先側に引き出されて連結された状態で、竿元側端部が元竿１の釣糸導入孔８の穂先側に位置するようになっている。そして、釣糸Ｌは尻栓２０の貫通孔を通過して穂先側に導かれるようになっている。
【００２１】
この中通し竿では、リール７からの釣糸Ｌは釣糸導入孔８から釣糸通路１００に導入され、穂先竿５の穂先側端部に設けられたトップガイドＴから導出される。
【００２２】
（竿体止め具の構造）
本発明の第１実施形態を採用した竿体止め具１０は、図３及び図４に示すように、軸方向に貫通した貫通孔１２を有するパイプ状の本体部１１を有している。この本体部１１はポリカーボネイト等の合成樹脂で形成され、貫通孔１２へ至るように軸方向に割り１１ａが形成されている。本体部１１の外径は元上竿２の穂先側内周面の内径にほぼ合致するように設定されており、元上竿２の穂先側端部に挿入して嵌合可能な嵌合部となっている。そして元上竿２の穂先側端部を閉栓可能になっている。
【００２３】
貫通孔１２は穂先竿５の外径に合致するように形成されている。本体部１１の割り１１ａから穂先竿５にはめ込むことによって、竿体止め具１０を穂先竿５に固定可能である。
【００２４】
（糸通し具の構造）
中通し竿の釣糸挿通操作に用いる糸通し具２００は、図２に示すように、線状の本体部２０１と、本体部２０１の先端に設けられたキャップ部２０２と、本体部２０１の後端に設けられ釣糸Ｌを係止可能な釣糸係止部２０３とを有している。
【００２５】
本体部２０１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。この本体部２０１の外径は穂先竿５内の釣糸通路１００の内径より小さく、穂先竿５内の釣糸通路１００を挿通可能になっている。
【００２６】
キャップ部２０２は、金属または合成樹脂からなる蓋付円筒型部材であって、本体部２０１の先端部分を収納するように配置されている。本体部２０１よりやや大径で穂先竿５の内径より小さく、中通し竿の内部の釣糸通路１００を挿通可能なものである。また、釣糸係止部２０３は、本体部２０１より小径のワイヤ等でリング状に形成されており、このリング状の部分に釣糸Ｌを係止可能である。
【００２７】
（釣糸挿通操作）
この竿体止め具１０及び糸通し具２００を用いて、以下のように釣糸挿通操作を行う。
【００２８】
元竿１から元上竿２〜穂先竿５を引き出した状態において、まず、穂先竿５の穂先側の外周に竿体止め具１０の本体部１１を装着する。続いて、穂先竿５及び第２中竿４，第１中竿３を順次元上竿２内に収納して、元竿１に元上竿２のみが引き出されて連結された状態とする。ここで、図２〜図４に示すように、竿体止め具１０の本体部１１の外周面（嵌合部）が元上竿２の穂先側内周面と嵌合して穂先竿５を第２竿体に固定する。即ち、第１中竿３及び第２中竿４を収納したまま、穂先竿５及び竿体止め具１０によって元上竿２に栓をする状態になる。
【００２９】
このように穂先竿５を元上竿２に固定したまま、図２に示すように、糸通し具２００によって釣糸挿通操作を行う。即ち、釣糸係止部２０３に釣糸Ｌを係止し、キャップ部２０２を釣糸導入ガイド９及び釣糸導入孔８から穂先竿５へと挿入する。そして、穂先側のトップガイドＴから導出する。
以上のように、穂先側を下方に向けたまま釣糸挿通操作を行っても、元上竿２に収納されている穂先竿５〜第１中竿３が穂先側に飛び出すことはない。また安定した状態で釣糸を穂先竿５内に挿入でき、釣糸挿通操作を容易に行うことができる。
【００３０】
［第２実施形態］
以下、本発明の第２実施形態について、図面を参照しつつ説明する。
【００３１】
本発明の第２実施形態を採用した竿体止め具３０は、図５に示すように、軸方向に貫通した貫通孔３２を有するパイプ状の本体部３１を有している。この本体部３１は、第１実施形態と同様に、ポリカーボネイト等の合成樹脂で形成され、貫通孔３２へ至るように軸方向に割り３１ａが形成されている。本体部３１の外径は元上竿２の穂先側内周面の内径にほぼ合致するように設定されており、元上竿２の穂先側端部に挿入して嵌合可能な嵌合部となっている。そして元上竿２の穂先側端部を閉栓可能になっている。
【００３２】
貫通孔３２は穂先竿５の外径に合致するように形成されている。本体部３１の割り３１ａから穂先竿５にはめ込むことによって、竿体止め具３０を穂先竿５に固定可能である。また、本体部３１は穂先側端部に周方向に広がる鍔部３３をさらに有している。この鍔部３３は本体部３１と一体的に成型されており、割り３１ａも鍔部３３に連続して形成されている。
【００３３】
なお、その他の構成は第１実施形態と同様であり、説明を省略する。
【００３４】
このように構成された竿体止め具３０及び糸通し具２００を用いて、第１実施形態と同様に釣糸挿通操作を行うことができる。即ち、元竿１から元上竿２〜穂先竿５を引き出した状態において、まず、穂先竿５の穂先側の外周に竿体止め具３０の本体部３１を装着する。続いて、穂先竿５及び第２中竿４，第１中竿３を順次元上竿２内に収納して、元竿１に元上竿２のみが引き出されて連結された状態とする。ここで、図５に示すように、竿体止め具３０の本体部３１の外周面（嵌合部）が元上竿２の穂先側内周面と嵌合して穂先竿５を第２竿体に固定する。
【００３５】
以上のように、穂先側を下方に向けたまま釣糸挿通操作を行っても、元上竿２に収納されている穂先竿５〜第１中竿３が穂先側に飛び出すことはない。また安定した状態で釣糸を穂先竿５内に挿入でき、釣糸挿通操作を容易に行うことができる。さらに、鍔部３３を摘んで竿体止め具３０とともに穂先竿５を他の竿体に容易に出し入れできる。
【００３６】
また、釣糸挿通操作時以外において、糸通し具２００を本体部３１に巻き付け、糸通し具２００の端部を鍔部３３の割りに挟み込むことで、糸通し具３００を竿体止め具３０に保管できる。
【００３７】
［他の実施形態］
（ａ）中通し竿の竿体の数は、上記実施形態に限定されるものではない。任意の竿体数の中通し竿において、本発明の竿体止め具を用いることができる。
（ｂ）竿体止め具の本体部の外周面にポリウレタン等の発泡合成樹脂やブタジエンゴム等の合成ゴム材を配置してもよい。本体部を容易かつ円滑に竿体に嵌合させて固定でき、竿体を痛めることもない。
（ｃ）糸止め具の本体部自体をゴム部材から形成してもよい。
【００３８】
【発明の効果】
本発明にかかる竿体止め具付中通し竿によれば、穂先側の竿体を痛めることなく容易に中通し竿の釣糸挿通操作が可能である。
【図面の簡単な説明】
【図１】本発明の竿体止め具を用いて釣糸挿通操作を行う竿体止め具付中通し竿の全体図。
【図２】本発明の第１実施形態を採用した竿体止め具によって、釣糸挿通操作をおこなう状態を示した図。
【図３】本発明の第１実施形態を採用した竿体止め具付中通し竿の斜視図。
【図４】本発明の第１実施形態を採用した竿体止め具付中通し竿の断面図。
【図５】本発明の第２実施形態を採用した竿体止め具付中通し竿の斜視図。
【符号の説明】
１ 元竿
２ 元上竿
３ 第１中竿
４ 第２中竿
５ 穂先竿
８ 釣糸導入孔
９ 釣糸導入ガイド
１０，３０ 竿体止め具
１１，３１ 本体部
１１ａ，３１ａ 割り
１２，３２ 貫通孔
３３ 鍔部
１００ 釣糸通路
２００ 糸通し具
Ｌ 釣糸
Ｔ トップガイド
Ｐ セラミックガイド
【図１】
0004112713.tif 000002
【図２】
0004112713.tif 000003
【図３】
0004112713.tif 000004
【図４】
0004112713.tif 000005
【図５】
0004112713.tif 000006